(57)【要約】【課題】印鑑を外部から十分視認することができファッション性にも優れたものとなるとともに、使用に伴い割れや欠けが発生することをも十分予防することができる新規な印鑑用収容ケースを提供する。【解決手段】円柱状又は角柱状その他の棒状に成形された印鑑Ｓを内部に収容する印鑑用収容ケース１であって、上記印鑑Ｓが内部に嵌合されてなるケース本体２と、このケース本体２の先端に着脱可能に装着されるキャップ３と、を備えてなり、上記ケース本体２は透明又は半透明の素材からなるか、又は多数の透孔２ｃが形成されなるとともに、該ケース本体２の一端は、上記印鑑Ｓの長さ方向に長さを有し、該印鑑Ｓが嵌合された際に該印鑑Ｓの彫刻面Ｓ１側の端部が０．５ｍｍ〜１０．０ｍｍ外側に露出する長さとされてなる。【選択図】  図３
2007190852.tif 000002
【特許請求の範囲】
【請求項１】
円柱状又は角柱状その他の棒状に成形された印鑑を内部に収容する印鑑用収容ケースであって、
上記印鑑が内部に嵌合されてなるケース本体と、このケース本体の先端に着脱可能に装着されるキャップと、を備えてなり、
上記ケース本体は透明又は半透明の素材からなるか、又は多数の透孔が形成されなるとともに、該ケース本体の一端は、上記印鑑の長さ方向に長さを有し、該印鑑が嵌合された際に該印鑑の彫刻面側の端部が０．５ｍｍ〜１０．０ｍｍ外側に露出する長さとされてなることを特徴とする印鑑用収容ケース。
【請求項２】
前記ケース本体の他端には、一又は複数の透孔が形成されてなることを特徴とする請求項１記載の印鑑用収容ケース。
【発明の詳細な説明】
【技術分野】
【０００１】
本発明は、印鑑を内部に収容する印鑑用収容ケースであって、特に、円柱状，角柱状その他棒状に成形された印鑑を収容する際に使用される印鑑用収容ケースに関するものである。
【背景技術】
【０００２】
これまで印鑑を内部に収容する印鑑用収容ケースは様々なものが市販され使用されている。これらの印鑑用収容ケースの多くのものは、ケース本体と蓋体とが半割りされてなり、上記ケース本体と蓋体とは、それぞれ印鑑の全長よりもやや長い寸法を有してなるとともにそれぞれ形成された係合部を互いに係合させることにより、ケース本体に対する蓋体のロックができる構造を備えたものである。また、従来の印鑑用収容ケースの他の構造としては、印鑑が内部に収容されるケース本体と、このケース本体に回動自在に配置されてなるとともに上記内部に収容された印鑑の一端側（彫刻面側）を閉塞するキャップを備えたものがある。このキャップとケース本体には、該キャップにより印鑑の一端を閉塞した状態を保持する係合部が互いに形成されてなるとともに、ケース本体には、上記互いの係合部の係合状態を使用者による手指での押圧操作により解除する解除操作部が形成され、さらに上記キャップが常に開放される方向に付勢する弾性体が配置されている。こうした構造に係る印鑑用収容ケースによれば、上記解除操作部を押圧操作することにより、上記各係合部の係合状態が解除されるとともに、上記弾性体の弾性力によりキャップが自動的に回動され、印鑑の一端が外部に露出する。なお、上記キャップの内側には、該キャップが閉塞されているときに印鑑の一端面に付着する朱肉が収容されている。したがって、上述したキャップが回動して印鑑が露出すると、別に朱肉を用意することなく、そのまま押印することができる。
【発明の開示】
【発明が解決しようとする課題】
【０００３】
ところで、印鑑の素材である印材としては、古くは天然石、象牙、黒水牛の角、金属、樹脂等が使用されている。しかしながら、近年では、上記象牙等の入手が法律上の制限により困難となっていることから、水晶、ルビー、メノウ、サファイヤ等のような、これまで宝石として使用されてきた素材が、印材として使用されるに至っている。また、一部では、外周に釉薬で着色されたセラミックスが印材として使用される場合もある。しかしながら、こうした印材は、その豪華で綺麗な素材に特徴があるものであり、これまで使用されてきた上記印鑑用収容ケースでは、こうした素材を外部から視認することができず、ファッション性においても著しく劣る。換言すれば、綺麗で人目を引く素材に特徴を有する素材からなる印鑑であっても、従来の印鑑用収容ケースでは、内部に収容されてしまうと外側から視認することができず、上記素材による特徴を減殺し、ファッション性にも劣るものとなってしまう。ところが、その一方では、上記印材は外力に弱く、使用中の落下等による割れ欠けも多い。
【０００４】
そこで、本発明は、上述した従来の印鑑用収容ケースが有する実情と近年使用されている印材の傾向とを鑑みて提案されたものであって、印鑑を外部から十分視認することができファッション性にも優れたものとなるとともに、使用に伴い割れや欠けが発生することをも十分予防することができる新規な印鑑用収容ケースを提供することを目的とするものである。
【課題を解決するための手段】
【０００５】
本発明は、上述した目的を達成するために提案されたものであって、第１の発明（請求項１記載の発明）は、円柱状又は角柱状その他の棒状に成形された印鑑を内部に収容する印鑑用収容ケースであって、上記印鑑が内部に嵌合されてなるケース本体と、このケース本体の先端に着脱可能に装着されるキャップと、を備えてなり、上記ケース本体は透明又は半透明の素材からなるか、又は多数の透孔が形成されなるとともに、該ケース本体の一端は、上記印鑑の長さ方向に長さを有し、該印鑑が嵌合された際に該印鑑の彫刻面側の端部が０．５ｍｍ〜１０．０ｍｍ外側に露出する長さとされてなることを特徴とするものである。
【０００６】
この第１の発明において、上記ケース本体は、円柱状又は角柱状その他棒状に成形された印鑑を内部に収容するものである。また、キャップは、少なくとも上記ケース本体に着脱可能に装着されるものであれば足り、その装着方法は、ケース本体に対してネジにより螺着するタイプものや、押圧することにより嵌合するタイプのものであっても良い。また、ケース本体とキャップとは、完全に分離されるものである必要はなく、紐、クサリ等を介して繋がれているものであっても良い。また、この発明においては、少なくとも上記ケース本体の素材は、二種類に分けることができる。一つ目の素材は、透明又は半透明の素材からなるものであり、二つ目の素材は透明性を有することがなく、多数の透孔が形成されたものである。一つ目の素材は、例えば透明なポリエチレンテレフタレート、ポリプロピレン，ポリ塩化ビニール等の樹脂を挙げることができる。こうした素材を使用することにより、内部に収容された印鑑を外部から視認することができる。また、二番目の素としては、鉄、アルミニウム、銅、チタン等を使用することができ、そうした素材からなるケース本体には、多数の透孔が形成されている必要がある。これらの透孔は、特にその大きさや数が限定されるものではないが、内部に収容された印鑑を外部から視認できる数や大きさであれば良い。なお、上記ケース本体には、上記透孔の数や大きさにより、全体的に模様が形成されているものであっても良く、こうした模様が形成されているケース本体を構成要素とすることにより、より一層ファッション性を高めることができる。
【０００７】
そして、この第１の発明では、上記印鑑は、上記ケース本体に対して嵌合している必要があり、且つ、該印鑑の一端側（彫刻面側）は、０．５ｍｍ〜１０．０ｍｍ外部に露出している必要がある。このようにケース本体は、印鑑が嵌合される寸法とすることにより、後述するキャップを取り外し、ケース本体を指で把持しながら下向きにしても印鑑がケース本体から脱落することなく、そのまま印鑑として使用することができる。また、上記印鑑の一端が外部に露出する幅は、余り短い場合には、ケース本体とともに印鑑を朱肉に押圧した場合、朱肉がケース本体に付着してしまう一方、余り長い場合には印鑑の一端側に割れや欠けが発生する場合がある。したがって、上記印鑑の一端側がケース本体から露出する長さは、好ましくは、１．０ｍｍ〜５．０ｍｍ、より好ましくは、１．５ｍｍ〜４．０ｍｍとする。
【０００８】
また、第２の発明（請求項２記載の発明）は、上記第１の発明において、前記ケース本体の他端には、一又は複数の透孔が形成されてなることを特徴とするものである。
【０００９】
この第２の発明において、上記ケース本体の他端に形成された透孔は、該ケース本体に嵌合した印鑑を取り出す場合に押圧する棒が挿入される部位である。したがって、この透孔は少なくとも一つ形成されていれば良く、ケース本体の他端の中央に形成されていることが好ましい。なお、このケース本体の他端に複数の透孔が形成されている場合には、ストラップの一端を取り付けることもできる。
【発明の効果】
【００１０】
上記第１の発明（請求項１記載の発明）によれば、ケース本体から印鑑を取り出すことなく、該印鑑の一端面に朱肉を付着させることによりそのまま押印することができるばかりではく、キャップを取り外した状態でも装着した状態においても、外部から印鑑を視認することができる。しかも、ケース本体から印鑑が露出する長さは所定の長さに規定されている。したがって、この第１の発明によれば、印鑑を外部から十分視認することができファッション性にも優れたものとなるとともに、使用に伴い割れや欠けが発生することをも十分予防することができる。
【００１１】
また、第２の発明（請求項２記載の発明）では、ケース本体の他端には、一又は複数の透孔が形成されてなることから、ケース本体に嵌合した印鑑を外部に取り出す場合においても極めて簡単であるとともに、複数の透孔が形成されているものであれば、ストラップ等の一端を取り付けることも可能となる。
【発明を実施するための最良の形態】
【００１２】
以下、本発明に係る印鑑用収容ケースを実施するための最良の形態を、図面を参照しながら詳細に説明する。
【００１３】
この実施の形態に係る印鑑用収容ケース１は、図１に示すように、ケース本体２と、キャップ３と、ストラップ４とを備えているものであって、同図に示す印鑑Ｓを収容するために使用されるものである。この印鑑Ｓは、淡い桃色の水晶を素材とするものであり、全体形状は略円柱状に成形されてなり、一端には文字等が彫刻される彫刻面Ｓ１が形成され、他端は円弧状に膨出している。そして、上記ケース本体２は、鉄を素材としてなるものであり、内側には上記印鑑Ｓが嵌合される収容空間（符号は省略する。）が形成され、一端側外周面には、後述するキャップ３が螺着される一方のネジ部２ａが形成されている。また、このケース本体２の他端側外周には、円筒状に連続した円筒部２ｂが形成されている。そして、上記一方のネジ部２ａから円筒部２ｂまでの間には、多数の透孔２ｃが形成され、これら多数の透孔２ｃを形成する骨部（符号は省略する。）は天使の形状２ｄ，ハートの形状２ｅが所々に成形され繋がっている。また、このケース本体２の他端は、上記印鑑Ｓの他端面の形状に対応して円弧状に膨出しているとともに、図２に示すように、中央から外周側には第１の透孔２ｆが形成され、この第１の透孔２ｆの周囲には、ハートの形状をした第２の透孔２ｇが全部で４つ形成されている。そして、このように構成されたケース本体２の他端には、ストラップ４の一端が取り付けられ、このストラップ４の他端には、それぞれ人工ダイヤ５が固定された二筋の装飾チェーン６，７の一端が固定されている。なお、上述したケース本体２は、鉄を鋳造してなるものであり、表面には銀メッキが施されている。
【００１４】
また、上記キャップ３は、上記ケース本体２と同じ素材で成形され、該ケース本体２と同じように銀メッキが施されてなるものであり、図１及び図３に示すように、円筒部３ａと、この円筒部３ａの開口を閉塞する円板状の閉塞部３ｂとからなるものであり、上記円筒部３ａの内周面には、上記ケース本体２に形成された一方のネジ部２ａに螺着される他方のネジ部３ｃが形成されている。
【００１５】
そして、図４は、上記ケース本体２内に上記印鑑Ｓが嵌合している状態を示すものであり、キャップ３をケース本体２から取り外した状態を示すものである。すなわち、上記ケース本体２は、上記印鑑Ｓを収容した状態において、該印鑑Ｓの一端が僅かに外部に露出するサイズに成形されており、この実施の形態に係る印鑑用収容ケース１においては、３．５ｍｍの長さ露出している。そして、この状態において、上記キャップ３をケース本体２に装着する（螺着させる）と、図４に示すように、上記ケース本体２から露出した印鑑Ｓはキャップ３により覆われ保護される。すなわち、この図３に示す状態では、上記ケース本体２に形成された多数の透孔２ｃを介して内部に収容された印鑑Ｓを外部から視認することができ、この実施の形態では、淡い桃色の水晶をケース本体２の外側から確認することができ、また、ケース本体２の他端側からも十分確認することができる。そして、このように印鑑Ｓが収容された状態において、使用者が不用意に落とした場合には、印鑑Ｓの両端は言うまでもなく部分的に外部から視認できる部位もケース本体２により保護されていることから割れや欠けが発生することがない。
【００１６】
なお、図３に示す状態において、印鑑Ｓを使用する場合には、上記キャップ３を螺退させケース本体２から取り外す。このようにキャップ３をケース本体２から取り外すことにより、図４に示すように、該印鑑Ｓの一端側は３．５ｍｍ外部に露出する。この状態において、図示しない朱肉に印鑑Ｓの彫刻面Ｓ１を押圧し朱肉を付着させても、上記ケース本体２の端部に朱肉が付着することはない。
【００１７】
このように上記印鑑用収容ケース１によれば、上記ケース本体２に形成された多数の透孔２ｃにより内部の印鑑Ｓを視認することができることから、従来の印鑑用収容ケースに比べて十分ファッション性を向上させることができるとともに、キャップ３をケース本体２から取り外した場合であっても、印鑑Ｓの一端が露出する長さは僅かであることから、使用に伴い印鑑Ｓに割れや欠けが発生することをも十分予防することができ、朱肉がケース本体２に付着する危険性も十分に防止することができる。特に、この実施の形態に係る印鑑用収容ケース１では、上記収容ケース２に天使の形状２ｄやハートの形状２ｅが施され、さらに銀メッキ処理がされていることから、一層ファッション性が高められ、さらにストラップ４には二筋の装飾チェーン６，７の一端が固定されていることからより一層ファッション性の高いものとされており、該ストラップ４を利用してこの印鑑用収容ケース１を図示しない携帯電話やバッグの把手その他にも取り付けて携帯することができる。
【００１８】
なお、上記実施の形態に係る印鑑用収容ケース１では、本発明を構成するケース本体の素材を鉄としたが、本発明は、透明な樹脂により一体成形された図示しないケース本体を構成要素としても良い。このケース本体は、内部に上記印鑑Ｓが嵌合されるとともに、該印鑑Ｓの一端が僅かに（３．５ｍｍ程度）露出するものであり、前述した印鑑用収容ケース１のように多数の透孔２ｃは形成されていない。また、このケース本体に装着される図示しないキャップも上記ケース本体と同じ素材からなるものであり、該キャップをケース本体に装着することにより、外部に露出された印鑑Ｓの一端側は覆われる。こうした印鑑用収容ケースによる場合であっても、上記実施の形態に係る印鑑用収容ケース１と同じように、ケース本体内に収容された印鑑Ｓを外部から十分視認することができ、従来の印鑑用収容ケースに比べて十分ファッション性を向上させることができるとともに、キャップをケース本体から取り外した場合であっても、印鑑Ｓの一端が露出する長さは僅かであることから、使用に伴い印鑑Ｓに割れや欠けが発生することをも十分予防することができ、また図示しない朱肉がケース本体に付着する危険性も十分に防止することができる。特に、こうした透明な樹脂をケース本体の素材として使用した場合には、例えばセラミックスの表面に釉薬を塗布して色づけし焼成した印鑑のように、割れや欠けが発生する可能性の高い印鑑であっても、より一層確実に保護することができるとともに、その印鑑の模様や色を外部から確認することができ、極めてファッション性を向上させることができる。
【図面の簡単な説明】
【００１９】
【図１】実施の形態に係る印鑑用収容ケースを分解して印鑑とともに示す分解斜視図である。
【図２】図１に示すケース本体の背面図である。
【図３】印鑑を内部に収容した状態を示す側断面図である。
【図４】印鑑が収容されたケース本体からキャップを取り外した状態を示す側面図である。
【符号の説明】
【００２０】
１    印鑑用収容ケース
２    ケース本体
２ａ    一方のネジ部
２ｃ    透孔
２ｆ    第１の透孔
２ｇ    第２の透孔
３    キャップ
３ｃ    他方のネジ部
Ｓ    印鑑
Ｓ１    彫刻面
【図１】
2007190852.tif 000003
【図２】
2007190852.tif 000004
【図３】
2007190852.tif 000005
【図４】
2007190852.tif 000006